(57)【要約】【課題】後席者に不快感を与えずに前席のリクライニングまたはスライドを的確に行うことができる表示装置を提供する。【解決手段】背もたれ部Ａ１の後方への傾動および座面部Ａ２の後方への移動のうち少なくとも一方の可否を座席の後部座席側に問い合わせる通知を行う通知処理部１３と、通知処理部１３が通知を行ってから応答待ち時間が経過しても応答がない場合に、前席パワーリクライニング装置２および前席パワースライド装置３のうち少なくとも一方を制御して通知処理部１３が通知した動作を行う駆動制御部１２とを備える。【選択図】図１
2015067140.tif 000002
【特許請求の範囲】
【請求項１】
背もたれ部の前後方向への傾動を行う第１の駆動部および座面部の前後方向への移動を行う第２の駆動部を有した座席の背面側に表示面を後方に向けて設けられた表示装置であって、
前記背もたれ部の後方への傾動および前記座面部の後方への移動のうち少なくとも一方の可否を前記座席の後部座席側に問い合わせる通知を行う通知処理部と、
前記通知処理部が通知を行ってから応答待ち時間が経過しても応答がない場合に、前記第１および前記第２の駆動部のうち少なくとも一方を制御して前記通知処理部が通知した動作を行う駆動制御部とを備えた表示装置。
【請求項２】
前記駆動制御部は、複数の応答待ち時間が設定されており、各応答待ち時間が順に経過しても応答がない場合に、前記第１および前記第２の駆動部のうち少なくとも一方を制御して、前記通知処理部が通知した動作を前記応答待ち時間に対応する動作段階ごとに行うことを特徴とする請求項１記載の表示装置。
【発明の詳細な説明】
【技術分野】
【０００１】
この発明は、前席の背面側に設置される表示装置に関する。
【背景技術】
【０００２】
車両や航空機などに搭載される後部座席モニタは、前席がリクライニングされた場合、後席者が画面を見にくくなる。
例えば、特許文献１では、前席の背面側に設置した掲示灯を用いて後席者にリクライニングの許可承諾を問い合わせ、承諾があれば前席者に通知する。これにより、前席者は、座席をリクライニングすることできる。
また、特許文献２に記載される座席駆動制御装置は、後席者が着座中に後部座席モニタをオンしている場合、あらかじめ設定された角度以上は前席を倒すことができないように座席駆動を制御する。
【先行技術文献】
【特許文献】
【０００３】
【特許文献１】実開平７−２１３１号公報
【特許文献２】特開２００８−２０７６３５号公報
【発明の概要】
【発明が解決しようとする課題】
【０００４】
特許文献１に代表される従来の技術では、前席者が、掲示灯を点灯してリクライニングの許可／不許可を問い合わせても、後席者が睡眠中や不在で応答できなかった場合、座席をリクライニングすることができないという課題があった。
また、特許文献１では、後席者が許可したことを前席の肘掛けに配置した掲示灯を点灯して通知しているが、前席者が運転者である場合、この掲示灯を確認するために前方から視線が外れて運転に注力できない。また、部品点数の増加も否めない。
【０００５】
特許文献２に記載の装置では、後席者が着座して、後部座席モニタがオンである場合、制限座席角度を変更しない限り、前席者は、座席を設定角度以上倒せないという課題があった。特に、自動車の運転席の場合、運転者が運転しやすい座席角度にできない場合、集中力が低下するため、安全運転上好ましくない。
【０００６】
この発明は、上記のような課題を解決するためになされたもので、後席者に不快感を与えずに前席の背もたれ部の後方への傾動または座面部の後方への移動を的確に行うことができる表示装置を得ることを目的とする。
【課題を解決するための手段】
【０００７】
この発明に係る表示装置は、背もたれ部の前後方向への傾動を行う第１の駆動部および座面部の前後方向への移動を行う第２の駆動部を有した座席の背面側に表示面を後方に向けて設けられた表示装置であって、背もたれ部の後方への傾動および座面部の後方への移動のうち少なくとも一方の可否を座席の後部座席側に問い合わせる通知を行う通知処理部と、通知処理部が通知を行ってから応答待ち時間が経過しても応答がない場合に、第１および第２の駆動部のうち少なくとも一方を制御して通知処理部が通知した動作を行う駆動制御部とを備える。
【発明の効果】
【０００８】
この発明によれば、後席者に不快感を与えずに前席の背もたれ部の後方への傾動または座面部の後方への移動を的確に行うことができるという効果がある。
【図面の簡単な説明】
【０００９】
【図１】この発明の実施の形態１に係る表示装置を適用した座席駆動制御システムを示す図である。
【図２】実施の形態１に係る表示装置の動作を示すフローチャートである。
【図３】リクライニング問い合わせの画面例を示す図である。
【図４】この発明の実施の形態２に係る表示装置の動作を示すフローチャートである。
【発明を実施するための形態】
【００１０】
実施の形態１．
図１は、この発明の実施の形態１に係る表示装置を適用した座席駆動制御システムを示す図であり、図１（ａ）は、座席駆動制御システムを設置した前席Ａを示しており、図１（ｂ）は、座席駆動制御システムの構成を示すブロック図である。
図１（ａ）に示す座席駆動制御システムは、移動体（例えば、車両、航空機など）内の座席に設置されるシステムであって、後部表示装置１、前席パワーリクライニング装置２および前席パワースライド装置３を備えて構成される。
【００１１】
後部表示装置１は、前席Ａの背面側（例えば、ヘッドレストや背もたれ部）設けられ、この表示面に各種情報を表示して座席Ｂに着座する乗員に提示する表示装置である。
なお、座席Ｂは前席Ａの後部座席であって、後部表示装置１は座席Ｂに着座する乗員（以下、後席者と記載する）が視聴するための表示装置である。
後部表示装置１は、ＲＳＥ（リアシートエンターテイメント）表示部１０、ＲＳＥ音声出力部１１、駆動制御部１２および通知処理部１３を備えて構成される。
【００１２】
ＲＳＥ表示部１０は、前席Ａの背面側（図１ではヘッドレスト背面）に表示面を後方に向けて設置される表示部であり、リアシートエンターテイメントシステムとして映画などのエンターテイメント情報を表示する。ＲＳＥ表示部１０には、例えば、液晶表示パネル、プラズマ表示パネル、有機ＥＬパネルなどが使用される。
また、ＲＳＥ表示部１０はタッチパネル式の表示装置であり、例えば、通知処理部１３による通知表示に対する応答はタッチ操作によって行われる。
ＲＳＥ音声出力部１１は、後席者へ向けて音声を出力する音声出力部であり、例えば、ＲＳＥ表示部１０が表示する映画などのエンターテイメント情報の音声を出力する。
【００１３】
駆動制御部１２は、前席パワーリクライニング装置２による背もたれ部Ａ１の前後方向への傾動を制御し、前席パワースライド装置３による座面部Ａ２の前後方向への移動を制御する制御部である。
特に、駆動制御部１２は、通知処理部１３が背もたれ部Ａ１の後方へのリクライニング（傾動）および座面部Ａ２の後方へのスライド（移動）のうちの少なくとも一方の可否を後部座席Ｂ側に問い合わせる通知を行ってから所定の応答待ち時間Ｔが経過しても応答がない場合に、前席パワーリクライニング装置２および前席パワースライド装置３のうちの少なくとも一方を制御して通知処理部１３が通知した動作を行う。
【００１４】
通知処理部１３は、前席Ａに着座した乗員（以下、前席者と記載する）からの指示に応じて、背もたれ部Ａ１の後方への傾動および座面部Ａ２の後方への移動のうち少なくとも一方の可否を後部座席Ｂ側に問い合わせる通知を行う通知処理部である。
また、通知処理部１３は、リクライニングおよびスライドの可否を問い合わせる通知の他に、リクライニングおよびスライドを行う場合にＲＳＥ表示部１０の表示を消すべきかどうかの問い合わせも行う。
【００１５】
なお、駆動制御部１２が、前席パワーリクライニング装置２および前席パワースライド装置３を制御するため、後部表示装置１を装置２，３に接続する必要がある。
この場合、後部表示装置１と装置２，３をそれぞれ制御信号線で接続することが考えられる。また、車両のＥＣＵ（Ｅｌｅｃｔｒｏｎｉｃ  Ｃｏｎｔｒｏｌ  Ｕｎｉｔ）と装置２，３が制御信号線で接続されている場合には、駆動制御部１２がＥＣＵに指示することにより、ＥＣＵを介して装置２，３を制御してもよい。
【００１６】
また、駆動制御部１２および通知処理部１３は、後部表示装置１のマイクロコンピュータが、この発明に特有な処理に関するプログラムを実行することにより、ハードウェアとソフトウェアとが協働した具体的な手段として実現される。
【００１７】
前席パワーリクライニング装置２は、前席Ａの背もたれ部Ａ１の前後方向へのリクライニング（傾動）を行う第１の駆動部である。その構成として、リクライニング制御部２０およびリクライニング用モータ２１を備える。
リクライニング制御部２０は、リクライニング用モータ２１にパルス信号を出力し、パルス幅変調（ＰＷＭ）により、背もたれ部Ａ１のリクライニング角度θを制御する。
例えば、リクライニング制御部２０は、操作部（不図示）で入力された背もたれ部Ａ１を傾ける角度θの操作情報（リクライニング情報）に基づいて、リクライニング用モータ２１を制御する。
また、リクライニング制御部２０は、後部表示装置１の駆動制御部１２からＲＳＥ表示部１０がオン状態であることが通知されている場合、リクライニング用モータ２１を直ちに制御せず、駆動制御部１２からの指示待ち状態となる。
リクライニング用モータ２１は、ステッピングモータで構成され、リクライニング制御部２０からのパルス信号に基づいて駆動する。
【００１８】
前席パワースライド装置３は、前席Ａの座面部Ａ２の前後方向へのスライド（移動）を行う第２の駆動部である。その構成として、スライド制御部３０およびスライド用モータ３１を備える。
スライド制御部３０は、スライド用モータ３１にパルス信号を出力し、パルス幅変調（ＰＷＭ）により、座面部Ａ２のスライド位置を制御する。
例えば、スライド制御部３０は、操作部（不図示）で入力された座面部Ａ２のスライド位置ｂの操作情報（スライド情報）に基づいて、スライド用モータ３１を制御する。
また、スライド制御部３０は、後部表示装置１の駆動制御部１２からＲＳＥ表示部１０がオン状態であることが通知されている場合には、スライド用モータ３１を直ちに制御せず、駆動制御部１２からの指示待ち状態となる。
スライド用モータ３１は、ステッピングモータで構成され、スライド制御部３０からのパルス信号に基づいて駆動する。
【００１９】
次に動作について説明する。
図２は、実施の形態１に係る表示装置の動作を示すフローチャートであって、前席者が前席Ａをリクライニングする場合の処理を示している。
まず、後部表示装置１の駆動制御部１２は、動作している間、ＲＳＥ表示部１０がオン状態であるか否かを確認している（ステップＳＴ１）。
ＲＳＥ表示部１０がオフ状態であれば（ステップＳＴ１；ＮＯ）、駆動制御部１２は、制御可信号をリクライニング制御部２０へ送信する（ステップＳＴ４）。
【００２０】
前席者が操作部を用いてリクライニング操作を行うと、そのリクライニング情報が前席パワーリクライニング装置２のリクライニング制御部２０に送られる。
リクライニング制御部２０は、駆動制御部１２から制御可信号を受信した場合、前席者が操作部を用いて入力したリクライニング情報に基づいて、リクライニング用モータ２１を制御する。これにより、リクライニング用モータ２１が、前席者の操作に応じた角度θで背もたれ部Ａ１をリクライニングする。
【００２１】
ＲＳＥ表示部１０がオン状態であれば、駆動制御部１２は、その旨をリクライニング制御部２０およびスライド制御部３０に通知し続ける。
リクライニング制御部２０は、駆動制御部１２からＲＳＥ表示部１０がオン状態であることの通知を継続して受信している場合（ステップＳＴ１；ＹＥＳ）、前席Ａのリクライニング操作があったことを駆動制御部１２および通知処理部１３に送信する。
通知処理部１３は、リクライニング操作があったことを受信すると、後席者に対して、前席Ａのリクライニングの許可／不許可を問い合わせる通知を行う（ステップＳＴ２）。
ここで、通知処理部１３は、ＲＳＥ音声出力部１１に指示してリクライニングの許可／不許可を問い合わせる音声を出力し、ＲＳＥ表示部１０にリクライニングの許可／不許可を問い合わせる画面を表示する。
【００２２】
例えば、図３（ａ）に示すように、座席を倒すことの許可を求める内容のテキスト情報と、その許可／不許可を示すボタン（Ｙｅｓボタン、Ｎｏボタン）を表示する画面１０Ａを表示する。許可／不許可は、後席者がタッチパネルでボタンを押下操作することにより選択することが可能である。
また、図３（ｂ）の画面１０Ｂのように、座席を倒したときに画面を消す、すなわち、ＲＳＥ表示部１０をオフ状態にすることを同時に問い合わせてもよい。
【００２３】
後席者が“Ｙｅｓボタン”を押下操作して前席Ａのリクライニングを許可した場合（ステップＳＴ３；ＹＥＳ）、その操作情報はＲＳＥ表示部１０から駆動制御部１２に出力される。駆動制御部１２は、リクライニング許可の操作情報を入力すると、ステップＳＴ４に移行して、リクライニング制御部２０に対して制御可信号を出力する。
【００２４】
前席Ａのリクライニング許可が入力されず（ステップＳＴ３；ＮＯ）、後席者が“Ｎｏボタン”を押下操作した場合（ステップＳＴ５；ＹＥＳ）、上記と同様に、その操作情報はＲＳＥ表示部１０から駆動制御部１２に出力される。
駆動制御部１２は、リクライニング不許可の操作情報を入力すると、リクライニング制御部２０に対して制御不可信号を出力する（ステップＳＴ６）。
【００２５】
リクライニング制御部２０は、駆動制御部１２から制御不可信号を入力すると、リクライニング用モータ２１を制御せず、リクライニングを行わない。
また、リクライニング制御部２０が、制御不可信号を受信した場合に、リクライニング用モータ２１を微動（振動、押し戻すなど）させることにより、後席者がリクライニングを不許可したことを前席者に伝達してもよい。
【００２６】
一方、駆動制御部１２は、ステップＳＴ２で通知処理部１３が上記通知を行ってからの時間を計時しており、所定の応答待ち時間Ｔが経過したかどうか、すなわちタイムアウトが発生したかどうかを確認している（ステップＳＴ７）。
後席者が前席Ａのリクライニング不許可も入力せず（ステップＳＴ５；ＮＯ）、応答待ち時間Ｔが未経過でタイムアウトが発生していない場合（ステップＳＴ７；ＮＯ）、ステップＳＴ２の処理に戻り、上述の処理を繰り返す。
【００２７】
後席者が前席Ａのリクライニング不許可も入力せず（ステップＳＴ５；ＮＯ）、応答待ち時間Ｔが経過してタイムアウトが発生した場合（ステップＳＴ７；ＹＥＳ）、駆動制御部１２は、ステップＳＴ４の処理に移行して制御可信号をリクライニング制御部２０へ送信する。これにより、後席者の応答がなくてもリクライニングが行われる。
【００２８】
なお、上記の説明では、前席者が前席Ａをリクライニングする場合を示したが、前席Ａをスライドする場合も同様である。また、リクライニングおよびスライドを同時に行う場合も同様である。
【００２９】
図３に示した画面がＲＳＥ表示部１０に表示された場合、後席者が、それまでにＲＳＥ表示部１０に表示されていた内容（エンターテイメント情報）を視聴している状態であれば、直ちに応答可能である。
一方、後席者が睡眠中や不在である場合は、応答することができず、視聴もしていないＲＳＥ表示部１０がオンされたままの状態である。特許文献１では、この状態になると、座席をリクライニングすることができなかった。
【００３０】
そこで、この発明では、後席者が睡眠中や不在であると判断する応答待ち時間Ｔを設定し、この応答待ち時間が経過した場合には、後席者の応答がなくても、前席Ａのリクライニングおよびスライドを可能とする。
このように、後席者がＲＳＥ表示部１０を視聴していない状態であると判断した上で、前席Ａのリクライニングおよびスライドが行われるので、後席者に不快感を与えずに前席Ａのリクライニングおよびスライドを的確に行うことができる。
【００３１】
なお、後席者がＲＳＥ表示部１０を視聴していれば直ちに応答可能と考えられるので、応答待ち時間Ｔとしては、例えば１０秒程度とする。
また、この発明においては、前席者は、自身の操作に合わせて前席Ａのリクライニングおよびスライドが行われればよいため、後席者の応答内容を前席者に通知しない。
このように後席者の応答通知が不要となることで、従来のように応答通知を行うための掲示灯などの専用部品が省略できる。
これにより、運転手が視線を外す必要がなくなり、事故の危険性を減少させることができる。また、前席表示装置がなくとも実現できることで、部品点数を大幅に削減できる。
【００３２】
以上のように、この実施の形態１によれば、背もたれ部Ａ１の後方への傾動および座面部Ａ２の後方への移動のうち、少なくとも一方の可否を座席の後部座席側に問い合わせる通知を行う通知処理部１３と、通知処理部１３が通知を行ってから応答待ち時間が経過しても応答がない場合に、前席パワーリクライニング装置２および前席パワースライド装置３のうち少なくとも一方を制御して通知処理部１３が通知した動作を行う駆動制御部１２とを備える。このように構成することで、後席者に不快感を与えずに前席Ａの背もたれ部Ａ１の後方へのリクライニング（傾動）または座面部Ａ２の後方へのスライド（移動）を的確に行うことができる。
【００３３】
実施の形態２．
実施の形態２では、応答待ち時間までの途中時間が経過しても応答がない場合に、前席パワーリクライニング装置２および前席パワースライド装置３のうち少なくとも一方を制御して通知処理部１３が通知した動作を途中時間に対応する状態ごとに行う。
なお、実施の形態２に係る表示装置は、実施の形態１と基本的に同じ構成であるので、以降の説明において、内部構成については図１を参照する。
【００３４】
次に動作について説明する。
図４は、実施の形態２に係る表示装置の動作を示すフローチャートであって、前席者が前席Ａをリクライニングする場合の処理を示している。
まず、後部表示装置１の駆動制御部１２は、動作している間、ＲＳＥ表示部１０がオン状態であるか否かを確認している（ステップＳＴ１ａ）。
ＲＳＥ表示部１０がオフ状態である場合（ステップＳＴ１ａ；ＮＯ）、駆動制御部１２は、制御可信号（第１＋第２段階）をリクライニング制御部２０へ送信する（ステップＳＴ４ａ）。ここで、制御可信号（第１＋第２段階）とは、前席者の操作に応じたリクライニングを許可する制御信号である。
【００３５】
リクライニング制御部２０は、駆動制御部１２から制御可信号（第１＋第２段階）を受信した場合、前席者が操作部を用いて入力したリクライニング情報に基づいて、リクライニング用モータ２１を制御する。これにより、リクライニング用モータ２１が、前席者の操作に応じた角度θで背もたれ部Ａ１をリクライニングする。
【００３６】
ＲＳＥ表示部１０がオン状態であれば、駆動制御部１２は、その旨をリクライニング制御部２０およびスライド制御部３０に通知し続ける。
リクライニング制御部２０は、駆動制御部１２からＲＳＥ表示部１０がオン状態であることの通知を継続して受信している場合（ステップＳＴ１ａ；ＹＥＳ）、前席Ａのリクライニング操作があったことを駆動制御部１２および通知処理部１３に送信する。
通知処理部１３は、リクライニング操作があったことを受信すると、後席者に対して、前席Ａのリクライニングの許可／不許可を問い合わせる通知を行う（ステップＳＴ２ａ）。ここで、通知処理部１３は、ＲＳＥ音声出力部１１に指示してリクライニングの許可／不許可を問い合わせる音声を出力し、ＲＳＥ表示部１０にリクライニングの許可／不許可を問い合わせる画面を表示する。
【００３７】
後席者が前席Ａのリクライニングを許可した場合（ステップＳＴ３ａ；ＹＥＳ）、その操作情報はＲＳＥ表示部１０から駆動制御部１２に出力される。
駆動制御部１２は、リクライニング許可の操作情報を入力すると、ステップＳＴ４に移行して、リクライニング制御部２０に対して制御可信号（第１＋第２段階）を出力する。
【００３８】
前席Ａのリクライニング許可が入力されず（ステップＳＴ３ａ；ＮＯ）、後席者が不許可を選択した場合（ステップＳＴ５ａ；ＹＥＳ）、上記と同様に、その操作情報はＲＳＥ表示部１０から駆動制御部１２に出力される。
駆動制御部１２は、リクライニング不許可の操作情報を入力すると、リクライニング制御部２０に対して制御不可信号を出力する（ステップＳＴ６ａ）。
【００３９】
リクライニング制御部２０は、駆動制御部１２から制御不可信号を入力すると、リクライニング用モータ２１を制御せず、リクライニングを行わない。
また、リクライニング制御部２０が、制御不可信号を受信した場合に、リクライニング用モータ２１を微動（振動、押し戻すなど）させることにより、後席者がリクライニングを不許可したことを前席者に伝達してもよい。
【００４０】
一方、駆動制御部１２は、ステップＳＴ２ａで通知処理部１３が上記通知を行ってからの時間を計時しており、応答待ち時間Ｔ１が経過したかどうか、すなわち、Ｔ１のタイムアウトが発生したかどうかを確認している（ステップＳＴ７ａ）。
後席者が前席Ａのリクライニング不許可も入力せず（ステップＳＴ５ａ；ＮＯ）、応答待ち時間Ｔ１が未経過でＴ１のタイムアウトが発生していない場合（ステップＳＴ７ａ；ＮＯ）、ステップＳＴ２ａの処理に戻り、上述の処理を繰り返す。
【００４１】
後席者が前席Ａのリクライニング不許可も入力せず（ステップＳＴ５ａ；ＮＯ）、応答待ち時間Ｔ１が経過してＴ１のタイムアウトが発生した場合（ステップＳＴ７ａ；ＹＥＳ）、駆動制御部１２は、第１段階の制御可信号をリクライニング制御部２０へ送信する（ステップＳＴ８ａ）。
ここで、第１段階の制御可信号とは、応答待ち時間Ｔ１に対応して前席者の操作で行えるリクライニング動作を制限する制御信号である。
すなわち、応答待ち時間Ｔ１が経過したときに実行可能なリクライニング角度θの上限を示す信号であり、例えば、応答待ち時間Ｔ１が経過した場合、座席Ｂに着座する後席者がＲＳＥ表示部１０の表示面に表示された通知を視認可能な範囲内でリクライニング可能とする。このようにすることで、後席者が睡眠中や不在などでＲＳＥ表示部１０を視聴していない状態であるか否かを段階的に判断することができ、判断結果の信頼性を向上させることができる。
【００４２】
また、応答待ち時間Ｔ１が経過した場合、座席Ｂに着座する後席者がＲＳＥ表示部１０の表示面に表示された通知を視認可能な範囲内でリクライニング可能とすれば、後席者が余所見をするなどして偶然応答待ち時間Ｔ１内に応答できなかった場合であっても、問い合わせ通知を視認可能な状態で継続させることができる。
【００４３】
駆動制御部１２は、ステップＳＴ７ａで応答待ち時間Ｔ１が経過してからの時間も計時しており、応答待ち時間Ｔ２が経過したかどうか、すなわち、Ｔ２のタイムアウトが発生したかどうかを確認している（ステップＳＴ９ａ）。
応答待ち時間Ｔ２が未経過である場合（ステップＳＴ７ａ；ＮＯ）、ステップＳＴ２ａの処理に戻り、上述の処理を繰り返す。
【００４４】
応答待ち時間Ｔ２が経過してＴ２のタイムアウトが発生した場合（ステップＳＴ９ａ；ＹＥＳ）、駆動制御部１２は、ステップＳＴ４ａの処理に移行して制御可信号（第１＋第２段階）をリクライニング制御部２０へ送信する。これにより、後席者の応答がなくてもリクライニングが行われる。
【００４５】
なお、上記の説明では、前席者が前席Ａをリクライニングする場合を示したが、前席Ａをスライドする場合も同様である。また、リクライニングおよびスライドを同時に行う場合も同様である。
【００４６】
以上のように、この実施の形態２によれば、駆動制御部１２が、応答待ち時間Ｔ１，Ｔ２が設定されており、各応答待ち時間Ｔ１，Ｔ２が順に経過しても応答がない場合に、前席パワーリクライニング装置２および前席パワースライド装置３のうち少なくとも一方を制御して、通知処理部１３が通知した動作を応答待ち時間Ｔ１，Ｔ２に対応する動作段階ごとに行う。このように構成することで、後席者が睡眠中や不在などでＲＳＥ表示部１０を視聴していない状態であるか否かを段階的に判断することができ、判断結果の信頼性を向上させることができる。
【００４７】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４８】
１  後部表示装置、２  前席パワーリクライニング装置、３  前席パワースライド装置、１０  ＲＳＥ表示部、１１  ＲＳＥ音声出力部、１２  駆動制御部、１３  通知処理部、２０  リクライニング制御部、２１  リクライニング用モータ、３０  スライド制御部、３１  スライド用モータ。
【図１】
2015067140.tif 000003
【図２】
2015067140.tif 000004
【図３】
2015067140.tif 000005
【図４】
2015067140.tif 000006